(57)【要約】【課題】回転ブラシのアンバランス調整の作業性と精度の向上実現出来るノズル及びこれを搭載した電気掃除機を提供する。【解決手段】ブラシ１２が植毛された略中空円筒状のブラシ体８を有し、モーターにより駆動される回転ブラシ４と、ブラシ体８の表面に着脱でき、ブラシ体８と回転自在で、ブラシ体８の円周方向の任意の位置に固定可能な、カウンターウエイトとブラシ１０を有するアンバランス調整体９とを備え、アンバランス調整体９により回転ブラシ４のアンバランスを調整するノズルとした。そして、アンバランス調整体９にブラシ１０が設けられているため、ブラシ体８のブラシ１２とアンバランス調整体９のブラシ１０が掃除面の塵埃を掻き上げることが出来ると共に、周方向の任意の位置にカウンターウエイトを配することが可能となり、回転ブラシ４のアンバランスを精度よく低減することが出来る。【選択図】図２
2007167486.tif 000002
【特許請求の範囲】
【請求項１】
モーターと、ブラシが植毛された略中空円筒状のブラシ体を有し前記モーターにより駆動される回転ブラシと、前記ブラシ体の表面に着脱でき、前記ブラシ体と回転自在で、前記ブラシ体の円周方向の任意の位置に固定可能な、カウンターウエイトとブラシを有するアンバランス調整体とを備え、前記アンバランス調整体により前記回転ブラシのアンバランスを調整するノズル。
【請求項２】
アンバランス調整体は、ブラシ体の略両端に設けられた請求項１記載のノズル。
【請求項３】
アンバランス調整体に植毛されたブラシの硬度を、ブラシ体に植毛されたブラシの硬度よりも下げた請求項１または２記載のノズル。
【請求項４】
請求項１〜３のいずれか１項に記載のノズルを搭載した電気掃除機。
【発明の詳細な説明】
【技術分野】
【０００１】
本発明は、ノズルおよびこれを搭載した電気掃除機に関するもので、特にモーターにて高速に駆動される回転ブラシのアンバランス調整手段に関するものである。
【背景技術】
【０００２】
従来の電気掃除機では、比較的外径の大きい中空のブラシ体を有する回転ブラシの少なくとも一側端面の同心円周上に、深さ方向が回転ブラシの回動軸線と平行となるように複数の穴を配設し、穴形状と同形状か圧入可能な形状のカウンターウエイトをアンバランス位置に圧入とすることで回転ブラシのアンバランス調整を可能としている（例えば、特許文献１参照）。
【０００３】
また、比較的外径の小さいブラシ体を採用する場合には、中実のブラシ体を使用することも一般的であり、このような回転ブラシでは、ブラシ体にカウンターウエイトとしてビスを締結する手段も一般的である。
【特許文献１】実開昭５９−１１７４６４号公報
【発明の開示】
【発明が解決しようとする課題】
【０００４】
しかし、従来の電気掃除機の回転ブラシのアンバランス調整構成では、中空のブラシ体を採用する場合には、ブラシ体の内部をかなり厚肉にする必要があり、熱可塑性樹脂で成型する場合などは、通常その成型性が困難であり、ブラシ体の質量が増加するという課題があった。
【０００５】
また、アンバランス調整を行う場合、通常はアンバランスマシンによるアンバランス箇所の特定後、カウンターウエイトを取り付けるが、従来例のように、ブラシ体の側方外側にカバー体を取り付ける場合、アンバランスマシンによる測定後にカバー体を取り外す必要があり、カバー体がブラシ体と圧入等で確実に固定する必要がある場合などは、カウンターウエイトの取り付けに時間を要するという課題があった。
【０００６】
一方、中実のブラシ体を採用する場合は、カウンターウエイトとして、ブラシ体の外周より内側に向かってビスを締結するのが一般的であるが、中実のブラシ体を成型するためには、ソリ等の成型不具合を防止するため、ブラシ体の外径を比較的小さくすることで、厚肉成型を実現する必要があり、この場合床面の塵埃を掻き上げるようにするため、ブラシを長くする必要があり、このことがブラシのコシをなくし、集塵性能を低下させるという課題があった。
【０００７】
また、アンバランスマシンにより、アンバランス箇所がブラシの植毛位置であった場合には、その近傍にビスを締結することしか出来ず、この場合には、アンバランス調整を有る程度不完全なまま妥協せざるを得ないという課題があった。
【０００８】
本発明は、前記従来の課題を解決するもので、回転ブラシのアンバランス調整の作業性を向上しつつ、アンバランス調整精度も向上したノズル等を提供する事を目的とする。
【課題を解決するための手段】
【０００９】
前記従来の課題を解決するために、本発明のノズルは、モーターと、ブラシが植毛された略中空円筒状のブラシ体を有し前記モーターにより駆動される回転ブラシと、前記ブラシ体の表面に着脱でき、前記ブラシ体と回転自在で、前記ブラシ体の円周方向の任意の位置に固定可能な、カウンターウエイトとブラシを有するアンバランス調整体とを備え、前記アンバランス調整体により前記回転ブラシのアンバランスを調整するもので、アンバランス調整体はブラシを有するため、ブラシ体、アンバランス調整体の両方のブラシが掃除面の塵埃を掻き上げることが出来ると共に、周方向の任意の位置にカウンターウエイトを配することが可能となり、回転ブラシのアンバランスを精度よく低減することが出来る。
【発明の効果】
【００１０】
本発明のノズルは、回転ブラシのアンバランス調整の業性を向上しつつ、アンバランス調整精度も向上出来るものである。
【発明を実施するための最良の形態】
【００１１】
第１の発明は、モーターと、ブラシが植毛された略中空円筒状のブラシ体を有し前記モーターにより駆動される回転ブラシと、前記ブラシ体の表面に着脱でき、前記ブラシ体と回転自在で、前記ブラシ体の円周方向の任意の位置に固定可能な、カウンターウエイトとブラシを有するアンバランス調整体とを備え、前記アンバランス調整体により前記回転ブラシのアンバランスを調整するもので、アンバランス調整体はブラシを有するため、ブラシ体、アンバランス調整体の両方のブラシが掃除面の塵埃を掻き上げることが出来ると共に、周方向の任意の位置にカウンターウエイトを配することが可能となり、回転ブラシのアンバランスを精度よく低減することが出来る。
【００１２】
第２の発明は、第１の発明のアンバランス調整体を、ブラシ体の略両端に設けたもので、２つを配することにより、より精密にバランスを取ることが可能となり、また回転ブラシをその両端で支持するような場合には、アンバランス調整体が支持部に近くなり、さらにバランスを取り易くなるものである。
【００１３】
第３の発明は、第１または第２の発明のアンバランス調整体に植毛されたブラシの硬度を、ブラシ体に植毛されたブラシの硬度よりも下げるもので、アンバランス調整体へのブラシの植毛代を確保する場合などのために、アンバランス調整体からのブラシの出代を短くせざるを得ない場合等に、ブラシの硬度を低下させることで、ブラシのコシを最適に設定出来る。
【００１４】
第４の発明は、第１〜第３のいずれか１つの発明のノズルを搭載した電気掃除機とするもので、アンバランスの調整作業を向上した電気掃除機が得られるものである。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における電気掃除機の全体構成を示す要部断面図で、図２は、同電気掃除機のノズル部の下面図、図３は、図２のＡ−Ａ断面図である。
【００１７】
図１において、１は、電気掃除機本体で、下方にモーター（図示せず）を内蔵する本体部２と本体部２の下方に傾動自在に取り付けられたノズル部３とで構成されている。また、ノズル部３は、中空の回転ブラシ４を有し、モーターシャフト５と回転ブラシ４との間にはベルト６が架けられている。
【００１８】
図２〜図３において、ノズル部３の底面には主吸込口７が設けられており、主吸込口７の両端近傍内側には、回転ブラシ４のブラシ体８外周に嵌るようにアンバランス調整体９が固定されている。また、アンバランス調整体９にはブラシ１０が植毛されており、アンバランス調整体９の固定にはビス１１を用いており、アンバランス調整体９をブラシ体８に固定する前は、ブラシ体８に対して回転としている。
【００１９】
ここで、アンバランス調整体９固定用のビス１１はカウンターウエイトとしての役割も兼ねており、ビス１１は、事前にアンバランス測定機にてアンバランス箇所を特定し、このアンバランス箇所とは対称位置もしくはその近傍に締結されている。
【００２０】
また、ブラシ体８に植毛されたブラシ１２の線径は通常φ０．３ｍｍ程度を使用するが、アンバランス調整体９に植毛されたブラシ１０の出代は少ないため、ブラシ１０の線径はφ０．２もしくはφ０．１と、ブラシ体８のブラシ１２の線径よりも小さくすることで、ブラシ１０のコシをブラシ１２のコシよりも軟らかくして、ブラシのコシを調整している。
【００２１】
上記構成を備えた電気掃除機の動作、作用は以下の通りである。
【００２２】
モーターの回転の回転力は、モーターシャフト５からベルト６を介して回転ブラシ４に伝達され、回転ブラシ４が回転することで塵埃を掻き上げると同時にモーターの吸引力により塵埃を吸引することで掃除面の塵埃を除去する。
【００２３】
ここで、通常モーターの回転数は数万回転であり、モーターシャフト５の外径と回転ブラシ４のベルト懸架部の外径とで決まる減速比により減速するものの、通常回転ブラシは数千回転という高速回転するが、カウンターウエイトとしてのビス１０が締結されているため、回転ブラシ４は、高速回転した場合にも回転ブラシ４の振動が低減されているので、振動と振動音が少なく安定して回転する。
【００２４】
このように、本実施の形態によれば、ブラシ１０とカウンターウエイトと固定兼用のビス１１を有したアンバランス調整体９を周方向の任意の位置に取り付け可能なため、ブラシ１０及びブラシ１２でブラシ体８の全幅で掃除面の塵埃を掻き上げることが出来ると共に、回転ブラシ４のアンバランスを精度よく低減することが出来る。
【００２５】
また、アンバランス調整体９に植毛されたブラシ硬度をブラシ体８に植毛されたブラシ硬度よりも下げることで、アンバランス調整体９へのブラシ１０の植毛代を確保すると共に、ブラシ１０のコシを最適に設定出来る。
【００２６】
また、ブラシ体８とアンバランス調整体９をビス１１で固定するもので、安価かつ安易にアンバランス調整体９の着脱と固定を実現出来る。
【００２７】
（実施の形態２）
図４は、本発明の第２の実施の形態における電気掃除機の回転ブラシの平面図で、図５は、図４のＢ−Ｂ断面図である。
【００２８】
なお、上記実施の形態１と同一部分については同一符号を付してその説明を省略する。
【００２９】
本実施の形態は、上記第１の実施の形態におけるアンバランス調整体９を圧入固定したものであり、アンバランス調整体９には、ブラシ１０とカウンターウエイトとしてのビス１１を有しており、回転ブラシ４の軸受け部１３が回転ブラシ４の両端部にあり、軸受け部１３が容易に着脱可能な回転ブラシ４などは、アンバランス測定機でのアンバランス位置の特定後に、軸受け部１３とアンバランス調整体９を離脱し、カウンターウエイト位置を調整することで、容易にアンバランス調整が可能と出来る。
【００３０】
なお、図６に示すように、カウンターウエイト質量がある程度決まっているような場合は、カウンターウエイトとしてアンバランス調整体９に突起１４を設けることなどにより安価に構成出来ることは言うまでもない。
【産業上の利用可能性】
【００３１】
以上のように、本発明にかかるノズルは、回転ブラシのアンバランス調整の作業性と精度を確保出来るものであり、各種回転ブラシのアンバランス調整に適用できるものである。
【図面の簡単な説明】
【００３２】
【図１】本発明の実施の形態１における電気掃除機の全体構成を示す要部断面図
【図２】同電気掃除機のノズルの下面図
【図３】同電気掃除機のノズルの要部断面図（図２のＡ−Ａ断面）
【図４】本発明の実施の形態２における電気掃除機の回転ブラシの正面図
【図５】同電気掃除機の回転ブラシの要部断面図（図４のＢ−Ｂ断面）
【図６】同電気掃除機の回転ブラシの他の要部断面図
【符号の説明】
【００３３】
３    ノズル部
４    回転ブラシ
８    ブラシ体
９    アンバランス調整体
１０、１２  ブラシ
１１  ビス
【図１】
2007167486.tif 000003
【図２】
2007167486.tif 000004
【図３】
2007167486.tif 000005
【図４】
2007167486.tif 000006
【図５】
2007167486.tif 000007
【図６】
2007167486.tif 000008